【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
昇降自在なチャック装置で杭を把持して下降させることにより杭を圧入する杭圧入機を用いて、杭を地中に圧入する杭の圧入方法であって、
地中に圧入された既設杭の上端部に接続された杭圧入用アタッチメントにおける一端部に前記杭圧入機を載置し、次いで、前記杭圧入機によって所定の杭を地面に対して圧入し、更に前記杭の上端部に新たな杭圧入用アタッチメントを接続し、その新たな杭圧入用アタッチメントを前記チャック装置で把持して下降させることによって前記杭を地中に圧入した後、地中に連続的に圧入された複数の杭に接続されている隣り合う杭圧入用アタッチメント同士を連結することを特徴とする杭の圧入方法。
【請求項２】
昇降自在なチャック装置で杭を把持して下降させることにより杭を圧入する杭圧入機を用いて、複数の杭を地中に連続的に圧入する際に、その杭の上端部に接続する杭圧入用アタッチメントであって、
前記チャック装置で把持することが可能なアタッチメント本体部と、
前記アタッチメント本体部の下端に設けられ、前記杭の上端部と接続するための杭接続部と、
前記アタッチメント本体部の上端に設けられ、前記杭圧入機を載置するための載置部と、
を有し、
前記杭接続部は、前記杭の上端部を把持することが可能であり、
前記載置部には、隣り合う杭圧入用アタッチメント同士を連結させるための連結部が設けられていることを特徴とする杭圧入用アタッチメント。
【手続補正２】
【補正対象書類名】明細書
【補正対象項目名】０００５
【補正方法】変更
【補正の内容】
【０００５】
以上の課題を解決するため、請求項１に記載の発明は、例えば、図４〜図７に示すように、昇降自在なチャック装置（１５）で杭（例えば、鋼管杭２０）を把持して下降させることにより杭を圧入する杭圧入機（１０）を用いて、杭を地中に圧入する杭の圧入方法であって、
地中に圧入された既設杭（２０）の上端部（２１）に接続された杭圧入用アタッチメント（１）における一端部（例えば、クランプ把持部４）に前記杭圧入機を載置し、次いで、前記杭圧入機によって所定の杭（２０）を地面に対して圧入し、更に前記杭の上端部に新たな杭圧入用アタッチメント（１）を接続し、その新たな杭圧入用アタッチメントを前記チャック装置で把持して下降させることによって、前記杭を地中に圧入した後、地中に連続的に圧入された複数の杭に接続されている隣り合う杭圧入用アタッチメント同士を連結することを特徴とする。
【手続補正３】
【補正対象書類名】明細書
【補正対象項目名】０００７
【補正方法】変更
【補正の内容】
【０００７】
請求項１に記載の発明によれば、地中に圧入されている既設杭の上端部に接続されている杭圧入用アタッチメントの上端側である一端部に杭圧入機を載置すれば、杭圧入用アタッチメントを介在させるようにして既設杭上であって地面から上方に離間した位置に杭圧入機を設置することができる。なお、ここでいう地面とは、陸上における土地表面や、水底における水底面のことである。
そして、杭圧入用アタッチメントを介在させて既設杭の上方の離間した位置に設置した杭圧入機を動作させ、チャック装置で杭を把持して下降させることにより新たな杭を地面から地中に圧入することができる。
更に、チャック装置に把持されている圧入途中の杭の上端部に新たな杭圧入用アタッチメントを接続し、杭圧入機のチャック装置で杭圧入用アタッチメントを把持して下降させることによって、その杭圧入用アタッチメントに接続されている杭をより深く地中に圧入することができる。
特に、既設杭に新たな杭を隣接させるように圧入することを繰り返すことによって、複数の杭を隣り合わせるように地中に連続的に圧入して埋設することができる。
また、杭圧入用アタッチメントの一端部の位置を揃えて並べるように杭圧入用アタッチメントを配設すれば、その連続して並んだ一端部上を杭圧入機が移動することが可能になる。つまり、既設杭に接続されて隣接して並んでいる杭圧入用アタッチメント上を杭圧入機を移動させるようにして、既設杭に隣接する新たな杭を圧入することによって、複数の杭を隣り合わせるように地中に連続的に圧入しやすくなる。
また、隣り合う杭圧入用アタッチメント同士を連結することによって、地中に連続的に圧入された複数の杭に接続されることにより隣接して並んでいる複数の杭圧入用アタッチメントが成す列が乱れ難くなる。
そして、複数の杭圧入用アタッチメントが成す列が乱れ難くなれば、例えば、複数並んだ杭圧入用アタッチメント上を自走可能な杭圧入機は、そのアタッチメント上を好適に移動することが可能となる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２に記載の発明は、例えば、図１〜図３に示すように、昇降自在なチャック装置（１５）で杭（例えば、鋼管杭２０）を把持して下降させることにより杭を圧入する杭圧入機（１０）を用いて、複数の杭を地中に連続的に圧入する際に、その杭の上端部（２１）に接続する杭圧入用アタッチメント（１）であって、
前記チャック装置で把持することが可能なアタッチメント本体部（２）と、
前記アタッチメント本体部の下端に設けられ、前記杭の上端部と接続するための杭接続部（３）と、
前記アタッチメント本体部の上端に設けられ、前記杭圧入機を載置するための載置部（例えば、クランプ把持部４）と、
を有し、
前記杭接続部は、前記杭の上端部を把持することが可能であり、
前記載置部には、隣り合う杭圧入用アタッチメント同士を連結させるための連結部（例えば、第１連結部４ａ、第２連結部４ｂ）が設けられていることを特徴とする。
【手続補正７】
【補正対象書類名】明細書
【補正対象項目名】００１１
【補正方法】変更
【補正の内容】
【００１１】
請求項２に記載の発明によれば、杭圧入用アタッチメントは、アタッチメント本体部の下端に設けられる杭接続部と、アタッチメント本体部の上端に設けられる載置部を有しているので、地中に圧入された既設の杭に杭接続部を接続して、その他端側の上端である載置部に杭圧入機を載置することによって、杭圧入用アタッチメントを介在させるようにして既設の杭上であって地面から上方に離間した位置に杭圧入機を設置することができる。なお、ここでいう地面とは、陸上における土地表面や、水底における水底面のことである。
そして、杭圧入用アタッチメントを介在させて既設の杭の上方の離間した位置に設置した杭圧入機を動作させ、チャック装置で杭を把持して下降させることにより新たな杭を地面から地中に圧入することができる。そして、杭圧入用アタッチメントは、チャック装置で把持することが可能なアタッチメント本体部を有しているので、チャック装置に把持されている杭の上端部に新たな杭圧入用アタッチメントの杭接続部を挿入させるように、杭と杭圧入用アタッチメントとを接続し、杭圧入機のチャック装置でアタッチメント本体部を把持して下降させることによって、その杭圧入用アタッチメントに接続されている杭をより深く地中に圧入することができる。
特に、既設の杭に新たな杭を隣接させるように圧入することを繰り返すことによって、複数の杭を隣り合わせるように地中に連続的に圧入して埋設することができる。
また、載置部の高さを揃えて並べるように杭圧入用アタッチメントを配設すれば、その連続して並んだ載置部の上を杭圧入機が移動することが可能になる。
また、杭圧入用アタッチメントの杭接続部が種々ある接続手段を利用するなどして、杭の上端部を把持することによって、杭圧入用アタッチメントと杭との接続が外れ難くなる。
また、隣り合う杭圧入用アタッチメント同士を連結することによって、地中に連続的に圧入された複数の杭に接続されることにより隣接して並んでいる複数の杭圧入用アタッチメントが成す列が乱れ難くなる。そして、複数の杭圧入用アタッチメントが成す列が乱れ難くなれば、例えば、複数並んだ杭圧入用アタッチメント上を自走可能な杭圧入機は、そのアタッチメント上を好適に移動することが可能となる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】